(57)【要約】【課題】デジタル放送受信装置のファンをファンユニットとそのファンユニットが装着されるファンホルダーとにより構成し、キャビネットの背板へのファンホルダー及びカードスロットの組立作業性を改善し、コストダウンを図る。【解決手段】ファンユニット４０が装着されるファンホルダー２０と、デジタル放送受信用のＩＣカードを挿抜可能なカードスロット３０とを備える。合成樹脂で成形された一体構造物１０によってカードスロット３０とファンホルダー２０とを構成し、その一体構造物１０をキャビネットの背板５０にねじ止めする。カードスロット３０のカード挿抜口３１を、背板５０の開口５１から後方に向けて突出させる。【選択図】図３
2012084969.tif 000002
【特許請求の範囲】
【請求項１】
キャビネット内部で冷却風を流通させるためのファンユニットが装着されるファンホルダーと、デジタル放送受信用のＩＣカードを挿抜可能なカードスロットと、を備えるデジタル放送受信装置において、
合成樹脂で成形された一体構造物によって上記カードスロットと上記ファンホルダーとが構成され、その一体構造物が、上記キャビネットの背板にねじ止めされていることを特徴とするデジタル放送受信装置。
【請求項２】
上記一体構造物では、上記ファンホルダーの上部に上記カードスロットが位置し、そのカードスロットの上面に上記ＩＣカード用基板が取り付けられている請求項１又は請求項２に記載したデジタル放送受信装置。
【請求項３】
上記一体構造物と上記背板とのねじ止め箇所に、上記ファンホルダーと上記背板との重なり箇所及び上記カードスロットと上記背板との重なり箇所が含まれている請求項２に記載したデジタル放送受信装置。
【請求項４】
上記カードスロットに備わっているカード挿抜口が、上記背板に開設された開口から後方に向けて突出している請求項３に記載したデジタル放送受信装置。
【発明の詳細な説明】
【技術分野】
【０００１】
本発明は、デジタル放送受信装置、特に、キャビネット内部で冷却風を流通させるためのファンユニットが装着されるファンホルダーと、デジタル放送受信用のＩＣカードを挿抜可能なカードスロットとを備えるデジタル放送受信装置に関する。
【背景技術】
【０００２】
地上デジタル波を受信するための従来のデジタル放送受信装置、たとえばＶＣＲ−ＤＶＤ一体型デジタル放送受信装置では、キャビネットの背板に取り付けられたファンが回転駆動されることによって冷却風がキャビネット内部で流通するようになっていた。また、この種のデジタル放送受信装置では、暗号化して送信される地上デジタル波を、ＩＣカードに格納されている暗号鍵を用いて復号化することが要求されるために、キャビネットの内部に、Ｂ−ＣＡＳ（登録商標）カードと呼ばれるＩＣカードを挿抜可能なカードスロットが配備されていて、従来では、このカードスロットが上記したファンとは別の場所でキャビネットやフロントパネルなどの適宜箇所に設置されていた。
【０００３】
一方、デジタル放送受信装置の分野では、デジタルテレビ用基板にＢ−ＣＡＳカードを使用対象とするカードスロットを設け、このカードスロットに空気の流れをつくるファンを装備させた電子装置が提案されている（たとえば、特許文献１参照）。また、シールド構造を備えたデジタル放送受信装置において、デジタル基板にカードスロットを設け、シールドケースに冷却用ファンを設けた構成が開示されている（たとえば、特許文献２参照）。
【先行技術文献】
【特許文献】
【０００４】
【特許文献１】特開２００９−１００３８４号公報
【特許文献２】実用新案登録第３１１３６９１号公報（００４０、図９）
【発明の概要】
【発明が解決しようとする課題】
【０００５】
しかしながら、別々に製作されたファンとカードスロットとを別々の場所に取り付けるという従来の考え方や上掲の各特許文献から導き出される考え方をそのまま踏襲すると、別々に調達したファンとカードスロットとのそれぞれを、別々の組立工程を経て個別にキャビネットなどに取り付けることが必要になり、また、取付ねじなどの取付部品も個別に必要になってそれだけ組立作業性が損なわれる上、コスト高にもつながるという問題があった。
【０００６】
本発明は以上の問題を改善することを目的としてなされたものであり、デジタル放送受信装置のファンをファンユニットとそのファンユニットが装着されるファンホルダーとにより構成した上で、ファンホルダーとカードスロットとを一体化することによって、それらの組立作業性を改善し、コストダウンを図ることのできるデジタル放送受信装置を提供するものである。
【課題を解決するための手段】
【０００７】
本発明に係るデジタル放送受信装置は、キャビネット内部で冷却風を流通させるためのファンユニットが装着されるファンホルダーと、デジタル放送受信用のＩＣカードを挿抜可能なカードスロットと、を備えている。そして、合成樹脂で成形された一体構造物によって上記カードスロットと上記ファンホルダーとが構成され、その一体構造物が、上記キャビネットの背板にねじ止めされている。この構成であると、合成樹脂で成形された一体構造物をキャビネットの背板にねじ止めするだけの工程を行うことによって、カードスロットとファンホルダーとが上記背板に取り付けられることになる。したがって、カードスロットやファンホルダーをキャビネットに取り付けるための組立工程が従来よりも改善されて簡略化され、取付ねじなどの取付部品を削減することも可能になってコストダウンを図りやすくなる。
【０００８】
本発明に係る上記一体構造物では、上記ファンホルダーの上部に上記カードスロットが位置し、そのカードスロットの上面に上記ＩＣカード用基板が取り付けられていることが望ましい。この構成であれば、上面にＩＣカード用基板が取り付けられたカードスロットにファンホルダーが一体化された構成になっていることにより、構造上の困難を伴うことなく、ファン付きカードスロットとしての一部品を容易に構成することが可能になる。
【０００９】
本発明では、上記一体構造物と上記背板とのねじ止め箇所に、上記ファンホルダーと上記背板との重なり箇所及び上記カードスロットと上記背板との重なり箇所が含まれていることが望ましい。この構成であれば、上記一体構造物によって構成されているファンホルダーとカードスロットとが、個別にキャビネットの背板にねじ止めされていることになる。そのため、振動発生源であるファンユニットの振動が、背板にねじ止めされたファンホルダーによって抑制される。また、カードスロットにＩＣカードを抜き差しするときにも、カードスロットが背板に対して揺れ動くような事態が起こらなくなり、ＩＣカードの着脱を確実に行うことができるようになる。
【００１０】
本発明では、上記カードスロットに備わっているカード挿抜口が、上記背板に開設された開口から後方に向けて突出している、という構成を採用することが可能である。この構成であると、カード挿抜口を含むカードスロットの全体をキャビネットの内部に収容する場合に比べて、キャビネット内部でのカードスロットの設置スペースが狭くて済み、それだけキャビネットを小形化しやすくなる。
【発明の効果】
【００１１】
以上のように、本発明では、合成樹脂で成形された一体構造物によってカードスロットとファンホルダーとを構成し、その一体構造物を、キャビネットの背板にねじ止めするという構成を採用したことにより、キャビネットに対するファンホルダーとカードスロットとの組立作業性が改善され、取付ねじなどの取付部品が削減されてコストダウンを図りやすくなるという効果が奏される。
【図面の簡単な説明】
【００１２】
【図１】本発明に係るデジタル放送受信装置に採用される一体構造物とＩＣカード用基板とを示した分解斜視図である。
【図２】キャビネットの背板に取り付けられた一体構造物を示す概略斜視図である。
【図３】一体構造物やファンユニットを概略で示した分解斜視図である。
【発明を実施するための形態】
【００１３】
図１は本発明に係るデジタル放送受信装置に採用される一体構造物１０とＩＣカード用基板７０とを示した分解斜視図、図２は一体構造物が取り付けられたキャビネットの背板５０を示す概略斜視図である。また、図３は上記一体構造物１０やファンユニット４０を概略で示した分解斜視図である。
【００１４】
図１に示した一体構造物１０は、合成樹脂で射出成形された一体成形品でなり、この一体構造物１０によってファンホルダー２０とＩＣカードが挿抜されるカードスロット３０とが構成されている。
【００１５】
ファンホルダー２０は、左右の側壁２１，２１と下壁２２と図に現れていない上壁とを備える正面視矩形の枠体として形成されていると共に、その前面には円形の通風口２４が開設されている。このファンホルダー２０の左右の側壁２１，２１には、図３に示したファンユニット４０の外枠４１を保持するための機構、具体的には、ファンユニット４０の外枠４１に備わっている係合部４２を係止する係合片２３，２３が設けられている。したがって、ファンユニット４０をファンホルダー２０に嵌合させると、外枠４１の係合部４２に係合片２３が係合してファンユニット４０がファンホルダー２０に取り付けられる。なお、図例のファンユニット４０は、その外枠４２に、回転駆動されるファン本体４３が取り付けられてなる。ファンユニット４０をファンホルダー２０に保持するための機構の具体的構成が上記構成に限定されないことは勿論である。
【００１６】
また、カードスロット３０は、横長のカード挿抜口３１を形作っていて、水平姿勢のＩＣカードをそのカード挿抜口３１を通してカードスロット３０に対し抜き差しすることができるようになっている。このカードスロット３０は、正面視矩形の上記ファンホルダー２０の上部に位置していて、そのカードスロット３０の下面によって、上記したファンホルダー２０の上壁が形成されている。さらに、カードスロット３０は、その左右両側の２個所に、ＩＣカードの差込み方向に向けて延び出たアーム部３２，３２を備えていて、それらのアーム部３２，３２に、ＩＣカード用基板７０を相手方とする位置決め突起３３…やねじ止め用のボス３４…などが備わっている。したがって、ＩＣカード用基板７０に備わっている位置決め孔７１…を上記位置決め突起３３…に嵌合してＩＣカード用基板７０をカードスロット３０に対して位置決めした上で、ＩＣカード用基板７０に備わっているねじ挿通孔７２に挿通させた取付ねじ７３を、上記ボス３４…にねじ込んで締め付けると、図３のように、ＩＣカード用基板７０が、カードスロット３０の上面の適正位置に位置決めされてカードスロット３０に取り付けられる。なお、ＩＣカード用基板７０には、カードスロット３０に挿入されたＩＣカードとの間で信号授受を行うための制御回路が備わっている。また、この実施形態では、ＩＣカードとしてＢ−ＣＡＳカードが採用されている。図３において、符号８１はデジタル回路基板、８２はキャビネットボトム部の後端縁を示している。
【００１７】
上記の一体構造物１０において、ファンホルダー２０の前面の通風口２４の周囲面とカードスロット３０の左右のアーム部３２，３２の前面とは面一に成形されていて、カードスロット３０のカード挿抜口３１は、それらの各前面の前側へ突き出た個所に位置している。ここで、ファンホルダー２０の前面及び左右のアーム部３２，３２の前面は、デジタル放送受信装置のキャビネットの前後方向との関係では、キャビネットの後方へ向いている面が相当している。
【００１８】
ファンホルダー２０の前面の通風口２４の周囲面の４隅などの適宜個所に取付ねじのねじ込み孔２５…が備わっていると共に、左右のアーム部３２，３２の前面の適宜個所にも取付ねじのねじ込み孔２６…が備わっている。アーム部３２，３２の前面にはさらに位置決め突起２７が備わっている。
【００１９】
以上説明したところの、ファンホルダー２０とカードスロット３０とを備える一体構造物１０は、ファン付きカードスロットとして捉えることができる。そのため、このファン付きカードスロットとしての一体構造物１０を、ディスク放送受信装置のキャビネットに取り付けると、別々に製作されたファンとカードスロットとを別々の場所に取り付けることが不要になり、組立作業性が改善されるだけでなく、コスト面でも有利になる。
【００２０】
この実施形態では、図２に示したように、一体構造物１０がデジタル放送受信装置のキャビネットの背板５０にねじ止めされることによって組み立てられる。
【００２１】
組立工程の一例を説明する。組立工程の最初の段階では、一体構造物１０に形成されているカードスロット３０のカード挿抜口３１を、図２に示したキャビネットの背板５０の内側からその背板５０に開設されている横長の開口５１に挿入し、併せて、アーム部３２，３２の前面の複数個所の位置決め突起２７…を背板５０の複数個所に開設されている位置決め孔５２…に挿入する。このようにすると、カード挿抜口３１が開口５１に挿通されて背板５０の後方に向けて突出し、かつ、一体構造物１０が背板５０に対して位置決めされた状態で、一体構造物１０に面一に形成されているファンホルダー２０の前面とカードスロット３０の左右のアーム部３２，３２の前面とが背板５０の内面に重ね合わされる。また、ファンホルダー２０の通風口２４が背板５０に形成されている通風口５３に連通する。次に、背板５０の複数個所に形成されているねじ挿通孔に挿通させた取付ねじ５４…をファンホルダー２０の前面の複数個所のねじ込み孔２５…や左右のアーム部３２，３２の前面の複数個所のねじ込み孔２６…にねじ込んで締め付ける。
【００２２】
ここで説明した一体構造物１０と背板５０とのねじ止めによる取付構造によると、一体構造物１０と背板５０とのねじ止め箇所に、ファンホルダー２０と背板５０との重なり箇所及びカードスロット３０と背板５０との重なり箇所が含まれている。そのため、一体構造物１０によって構成されているファンホルダー２０とカードスロット３０とが、個別に背板５０にねじ止めされていることになる。そのため、振動発生源であるファンユニット４０の振動が、背板５０にねじ止めされたファンホルダー２０によって抑制される。また、カードスロット３０にＩＣカードを抜き差しするときにも、カードスロット３０が背板５０に対して揺れ動くような事態が起こらなくなり、ＩＣカードの着脱を確実に行うことができるようになる。
【００２３】
なお、図２において、符号５５はジャック型コネクタや多ピンコネクタなどの取付孔を示している。
【００２４】
以上説明した実施形態によると、一体構造物１０を背板５０にねじ止めして取り付ける工程を行うだけで、ファンホルダー２０及びカードスロット３０が同時に背板５０に取り付けられることになる。そのため、それらのファンホルダー２０及びカードスロット３０を別々の組立工程を経て個別にキャビネットに取り付ける場合に比べて、組立工数や取付ねじの必要本数が削減され、それだけ組立作業性が改善されてコストダウンを促進しやすくなる。その上、ファンホルダー２０やカードスロット３０の取付スペースを、それらを個別に取り付ける場合に比べて狭小化することが容易になる。さらに、カードスロット３０のカード挿抜口３１が背板５０の後方に突出していることにより、カード挿抜口３１を含むカードスロット３０の全体をキャビネットの内部に収容する場合に比べて、キャビネット内部でのカードスロット３０の設置スペースが狭くて済み、それだけキャビネットを小形化しやすくなる。
【００２５】
この実施形態では、一体構造物１０において、ファンホルダー２０の上部に水平姿勢のカードスロット３０が位置しているけれども、この点は、ファンホルダーの側部に起立姿勢のカードスロットを位置させたり、水平姿勢のカードスロットの上部にファンホルダーを位置させたりすることも可能である。
【符号の説明】
【００２６】
１０  一体構造物
２０  ファンホルダー
３０  カードスロット
３１  カード挿抜口
４０  ファンユニット
５０  背板
５１  開口
７０  ＩＣカード用基板
【図１】
2012084969.tif 000003
【図２】
2012084969.tif 000004
【図３】
2012084969.tif 000005